(57)【特許請求の範囲】
【請求項１】
第１の表示部を有する第１の筐体と、第２の表示部を有する第２の筐体と、前記第１の表示部および前記第２の表示部への情報の表示を制御する制御部とを備える携帯電子機器であって、
前記制御部は、前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化した場合に、前記第１の表示部に表示されている第１のアイコンに対応する第１の文字列を前記第２の表示部に表示させ、
前記制御部は、前記携帯電子機器が、前記第２の形態から前記第１の形態へ変化した場合に、前記第２の表示部に前記第１の文字列と対応づけて表示されていた第２のアイコンに対応する前記第１のアイコンを前記第１の表示部に表示させることを特徴とする携帯電子機器。
【請求項２】
前記制御部は、前記第１の表示部に表示されている画面に対して所定の操作が行われた場合に、当該画面に対応する前記第２のアイコンと、当該第２のアイコンに関する第１の文字列とを対応づけて前記第２の表示部に表示させることを特徴とする請求項１に記載の携帯電子機器。
【請求項３】
前記制御部は、前記第１の表示部に表示されている第２の文字列が、前記第２の表示部に表示されている前記第２のアイコンまたは当該第２のアイコンに対応する前記第１の文字列にドラッグされた場合に、当該第２の文字列が入力された状態で前記第２のアイコンに対応する画面を前記第２の表示部に表示させることを特徴とする請求項１または２に記載の携帯電子機器。
【請求項４】
前記制御部は、前記第１の表示部に表示されている第２の文字列が前記第２の表示部に表示されている待受画面の背景部分にドラッグされた場合に、当該第２の文字列が前記第１の文字列として対応づけられた前記第２のアイコンを前記第２の表示部に表示させることを特徴とする請求項１から３のいずれか１項に記載の携帯電子機器。
【請求項５】
前記制御部は、前記第２の文字列が前記背景部分にドラッグされた場合に、機能の一覧を前記第２の表示部に表示させ、当該一覧から選択された機能に対応するアイコンを前記第２のアイコンとして前記第２の表示部に表示させることを特徴とする請求項４に記載の携帯電子機器。
【請求項６】
前記制御部は、前記第２の文字列が前記背景部分にドラッグされた場合に、当該第２の文字列の形式に基づいて、当該第２の文字列を用いて処理を行う機能を特定し、特定された機能に対応するアイコンを前記第２のアイコンとして前記第２の表示部に表示させることを特徴とする請求項４に記載の携帯電子機器。
【請求項７】
前記制御部は、前記第２の表示部に表示されている画面に対して所定の操作が行われた場合に、当該画面に対応する前記第１のアイコンを前記第１の表示部に表示させることを特徴とする請求項１から６のいずれか１項に記載の携帯電子機器。
【請求項８】
第１の表示部を有する第１の筐体と、第２の表示部を有する第２の筐体と、前記第１の表示部および前記第２の表示部への情報の表示を制御する制御部とを備える携帯電子機器の制御方法であって、
前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化したことを検出するステップと、
前記携帯電子機器が前記第２の形態へ変化したことが検出された場合に、前記第１の表示部に表示されている第１のアイコンに対応する第１の文字列を前記第２の表示部に表示させるステップと、
前記携帯電子機器が、前記第２の形態から前記第１の形態へ変化したことを検出するステップと、
前記携帯電子機器が、前記第２の形態から前記第１の形態へ変化した場合に、前記第２の表示部に前記第１の文字列と対応づけて表示されていた第２のアイコンに対応する前記第１のアイコンを前記第１の表示部に表示させるステップと
を含むことを特徴とする制御方法。
【請求項９】
第１の表示部を有する第１の筐体と、第２の表示部を有する第２の筐体と、前記第１の表示部および前記第２の表示部への情報の表示を制御する制御部とを備える携帯電子機器に、
前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化したことを検出するステップと、
前記携帯電子機器が前記第２の形態へ変化したことが検出された場合に、前記第１の表示部に表示されている第１のアイコンに対応する第１の文字列を前記第２の表示部に表示させるステップと、
前記携帯電子機器が、前記第２の形態から前記第１の形態へ変化したことを検出するステップと、
前記携帯電子機器が、前記第２の形態から前記第１の形態へ変化した場合に、前記第２の表示部に前記第１の文字列と対応づけて表示されていた第２のアイコンに対応する前記第１のアイコンを前記第１の表示部に表示させるステップと
を実行させることを特徴とする制御プログラム。
【発明の詳細な説明】
【技術分野】
【０００１】
本発明は、携帯電子機器、制御方法および制御プログラムに関する。
【背景技術】
【０００２】
近年、直感的な操作を可能にするとともに、キーボードのように物理的に大きな面積を必要とするデバイスを具備しない小型の携帯電子機器を実現するために、タッチパネルが広く利用されるようになっている。また、特許文献１では、２つのタッチパネルを有し、２つのタッチパネルが露出する開状態と１つのタッチパネルのみが露出する閉状態のいずれかに変位し、開状態にて受信した発信元へ、閉状態への変位を契機として発信をする携帯電話端末が提案されている。
【先行技術文献】
【特許文献】
【０００３】
【特許文献１】特開２００９−１６４７９４号公報
【発明の概要】
【発明が解決しようとする課題】
【０００４】
上記の特許文献１に記載されている従来技術は、通話に関する操作について利用者の利便性を向上させることができるものの、携帯電子機器が有するその他の機能に関する操作については特に考慮されていない。近年の携帯電子機器は多種多様な機能を備えるようになっており、通話以外の機能の操作についても利用者の利便性を向上させることが要望されている。
【０００５】
本発明は、上記に鑑みてなされたものであって、利用者の利便性を向上させることができる携帯電子機器、制御方法および制御プログラムを提供することを目的とする。
【課題を解決するための手段】
【０００６】
上述した課題を解決し、目的を達成するために、本発明は、第１の表示部を有する第１の筐体と、第２の表示部を有する第２の筐体と、前記第１の表示部および前記第２の表示部への情報の表示を制御する制御部とを備える携帯電子機器であって、前記制御部は、前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化した場合に、前記第１の表示部に表示されている第１のアイコンに対応する第１の文字列を前記第２の表示部に表示させることを特徴とする。
【０００７】
ここで、前記制御部は、前記携帯電子機器が、前記第２の形態から前記第１の形態へ変化した場合に、前記第２の表示部に前記第１の文字列と対応づけて表示されていた第２のアイコンに対応する前記第１のアイコンを前記第１の表示部に表示させることが好ましい。
【０００８】
また、前記制御部は、前記第１の表示部に表示されている画面に対して所定の操作が行われた場合に、当該画面に対応する前記第２のアイコンと、当該第２のアイコンに関する第１の文字列とを対応づけて前記第２の表示部に表示させることが好ましい。
【０００９】
また、前記制御部は、前記第１の表示部に表示されている第２の文字列が、前記第２の表示部に表示されている前記第２のアイコンまたは当該第２のアイコンに対応する前記第１の文字列にドラッグされた場合に、当該第２の文字列が入力された状態で前記第２のアイコンに対応する画面を前記第２の表示部に表示させることが好ましい。
【００１０】
また、前記制御部は、前記第１の表示部に表示されている第２の文字列が前記第２の表示部に表示されている待受画面の背景部分にドラッグされた場合に、当該第２の文字列が前記第１の文字列として対応づけられた前記第２のアイコンを前記第２の表示部に表示させることが好ましい。
【００１１】
また、前記制御部は、前記第２の文字列が前記背景部分にドラッグされた場合に、機能の一覧を前記第２の表示部に表示させ、当該一覧から選択された機能に対応するアイコンを前記第２のアイコンとして前記第２の表示部に表示させることが好ましい。
【００１２】
また、前記制御部は、前記第２の文字列が前記背景部分にドラッグされた場合に、当該第２の文字列の形式に基づいて、当該第２の文字列を用いて処理を行う機能を特定し、特定された機能に対応するアイコンを前記第２のアイコンとして前記第２の表示部に表示させることが好ましい。
【００１３】
また、前記制御部は、前記第２の表示部に表示されている画面に対して所定の操作が行われた場合に、当該画面に対応する前記第１のアイコンを前記第１の表示部に表示させることが好ましい。
【００１４】
また、上述した課題を解決し、目的を達成するために、本発明は、第１の表示部を有する第１の筐体と、第２の表示部を有する第２の筐体と、前記第１の表示部および前記第２の表示部への情報の表示を制御する制御部とを備える携帯電子機器の制御方法であって、前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化したことを検出するステップと、前記携帯電子機器が前記第２の形態へ変化したことが検出された場合に、前記第１の表示部に表示されている第１のアイコンに対応する第１の文字列を前記第２の表示部に表示させるステップとを含むことを特徴とする。
【００１５】
また、上述した課題を解決し、目的を達成するために、本発明は、制御プログラムであって、第１の表示部を有する第１の筐体と、第２の表示部を有する第２の筐体と、前記第１の表示部および前記第２の表示部への情報の表示を制御する制御部とを備える携帯電子機器に、前記携帯電子機器が、第１の表示部を外部へ露出させたままで前記第２の表示部を前記第１の筐体が覆うように前記第１の筐体と前記第２の筐体とが重なり合う第１の形態から、前記第１の表示部および前記第２の表示部が外部へ露出する第２の形態へ変化したことを検出するステップと、前記携帯電子機器が前記第２の形態へ変化したことが検出された場合に、前記第１の表示部に表示されている第１のアイコンに対応する第１の文字列を前記第２の表示部に表示させるステップとを実行させることを特徴とする。
【発明の効果】
【００１６】
本発明に係る携帯電子機器、制御方法および制御プログラムは、利用者の利便性を向上させることができるという効果を奏する。
【図面の簡単な説明】
【００１７】
【図１】図１は、第１の形態にある携帯電話端末の斜視図である。
【図２】図２は、第２の形態にある携帯電話端末の斜視図である。
【図３】図３は、形態の変化と連動して下画面にアイコンを追加する例を示す図である。
【図４】図４は、形態の変化と連動して上画面にアイコンを追加する例を示す図である。
【図５】図５は、機能画面のフレーム部分のドラッグ操作に応じて上画面にアイコンを追加する例を示す図である。
【図６】図６は、上下画面間のドラッグ操作の一例を示す図である。
【図７】図７は、機能画面のフレーム部分のドラッグ操作に応じて下画面にアイコンおよび付加情報を追加する例を示す図である。
【図８】図８は、テキストのドラッグ操作に応じて下画面にアイコンおよび付加情報を追加する例を示す図である。
【図９】図９は、テキストのドラッグ操作に応じて下画面で機能を起動させる例を示す図である。
【図１０】図１０は、携帯電話端末の機能的な構成を示すブロック図である。
【図１１】図１１は、アイコンデータの一例を示す図である。
【図１２】図１２は、携帯電話端末の形態が変化した場合の処理手順を示すフロー図である。
【図１３】図１３は、上下画面間のドラッグ操作が検出された場合の処理手順を示すフロー図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話端末を例として説明するが、本発明の適用対象は携帯電話端末に限定されるものではなく、タッチパネルを備える各種装置、例えば、ＰＨＳ（Personal  Handyphone  System）、ＰＤＡ、ポータブルナビゲーション装置、パーソナルコンピュータ、ゲーム機等に対しても本発明は適用できる。
【００１９】
（実施形態）
まず、図１および図２を参照しながら、本発明に係る携帯電子機器の一実施形態である携帯電話端末１の外観について説明する。図１は、第１の形態にある携帯電話端末１の斜視図であり、図２は、第２の形態にある携帯電話端末１の斜視図である。携帯電話端末１は、第１の筐体１Ａと、第２の筐体１Ｂとを有する。第１の筐体１Ａは、第２の筐体１Ｂに対して矢印Ａの方向に相対的にスライド可能に構成されている。
【００２０】
第１の筐体１Ａは、第２の筐体１Ｂと対向する面と反対側の面にタッチパネル２を有する。第２の筐体１Ｂは、第１の筐体１Ａと対向する面にタッチパネル３を有する。タッチパネル２およびタッチパネル３は、文字、図形、画像等を表示するとともに、利用者が指やスタイラス等（以下、単に「指」という）を用いて当該タッチパネルに対して行う各種操作を検出する。タッチパネル３は、第１の筐体１Ａと第２の筐体１Ｂとが重なり合う第１の形態では第１の筐体１Ａによって覆い隠され、第１の筐体１Ａが矢印Ａの方向にスライドした第２の形態では外部に露出する。
【００２１】
第１の形態は、利用者が携帯電話端末１を持ち運ぶのに適した形態であり、この形態でも利用者は、タッチパネル２に表示される情報を参照したり、タッチパネル２を指で操作して情報を入力したりすることができる。第２の形態は、利用者が携帯電話端末１を利用するのに適した形態であり、利用者は、タッチパネル２とタッチパネル３とを併用して、より多くの情報を参照することができる。
【００２２】
なお、以下の説明では、常時外部に露出しているタッチパネル２を上画面２と呼び、第１の形態では第１の筐体１Ａによって覆い隠され第２の形態では外部に露出するタッチパネル３を下画面３と呼ぶことがある。
【００２３】
次に、図３および図４を参照しながら、携帯電話端末１が形態の変化と連動してアイコンの表示を制御する方式について説明する。図３は、形態の変化と連動して下画面３にアイコンを追加する例を示す図である。図４は、形態の変化と連動して上画面２にアイコンを追加する例を示す図である。
【００２４】
図３に示すステップＳ１１では、携帯電話端末１は第１の形態にあり、上画面２にはアイコン２１ａが配置された待受画面が表示されている。待受画面に表示されるアイコンは、特定の機能と対応づけられており、利用者がアイコンに対してタップ操作を行うと、携帯電話端末１は、タップされたアイコンに対応する機能を起動させる。例えば、アイコン２１ａは、ＷＥＢブラウジング機能と対応づけられており、アイコン２１ａに対してタップ操作が行われると、携帯電話端末１は、ＷＥＢブラウジング機能を起動する。なお、タップ操作とは、アイコン等を軽くたたくように、指をタッチパネルに接触させた後にすぐ離す動作を一度だけ行う操作をいう。
【００２５】
待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、デスクトップ画面、ホーム画面、または、壁紙と呼ばれることもある。また、図３に示した例では、無地の画面が待受画面として表示されているが、画像データやアニメーションデータを待受画面として表示してもよい。また、待受画面の一部として、カレンダや時計のように動的に変化する部分が含まれていてもよい。
【００２６】
ここで、ステップＳ１２として、利用者が所定の操作を行って上画面２にアイコン２２ａを追加したものとする。アイコン２２ａは、電子メール機能と対応づけられており、アイコン２２ａに対してタップ操作が行われると、携帯電話端末１は、電子メール機能を起動する。なお、ここでいう所定の操作とは、例えば、待受画面を一定時間以上指で押し続けるロングタップ操作を行う等してメニューを表示させ、メニューの項目の中から電子メール機能に対応するものを選択する操作である。
【００２７】
こうして上画面２にアイコン２２ａが追加された後に、ステップＳ１３として、利用者が携帯電話端末１を第１の形態から第２の形態へ変化させたとする。この場合、下画面３に表示される待受画面には、アイコン２１ｂと付加情報２１ｃとが対応づけて配置される。また、下画面３に表示される待受画面には、アイコン２２ｂと付加情報２２ｃとが対応づけて配置される。
【００２８】
アイコン２１ｂは、ＷＥＢブラウジング機能と対応づけられ、アイコン２２ａと同様の外観を有する。付加情報２１ｃは、アイコン２１ｂと対応づけて表示される情報であり、この場合、アイコン２１ｂに対応する機能を示すテキストを表示する。アイコン２２ｂは、電子メール機能と対応づけられ、アイコン２２ａと同様の外観を有する。付加情報２２ｃは、アイコン２２ｂと対応づけて表示される情報であり、この場合、アイコン２２ｂに対応する機能を示すテキストを表示する。
【００２９】
携帯電話端末１は、アイコン２１ｂまたは付加情報２１ｃに対してタップ操作が行われると、ＷＥＢブラウジング機能を起動する。また、携帯電話端末１は、アイコン２２ｂまたは付加情報２２ｃに対してタップ操作が行われると、電子メール機能を起動する。
【００３０】
ここで、アイコン２２ｂおよび付加情報２２ｃは、ステップＳ１３において携帯電話端末１が第１の形態から第２の形態へ変化したことを契機として、携帯電話端末１によって下画面３に追加されたということに注目されたい。すなわち、携帯電話端末１は、携帯電話端末１が第１の形態から第２の形態へ変化した際に、上画面２の待受画面に配置されているアイコンに対応するアイコンと付加情報の組み合わせが下画面３の待受画面に配置されていなければ、それらを下画面３の待受画面に追加する。追加されるのは、具体的には、上画面２に配置されているアイコンと同様の外観を有するアイコンと、そのアイコンに対応する機能を示すテキストを表示する付加情報である。
【００３１】
このような制御を行うことにより、利用者が携帯電話端末１を第１の形態から第２の形態へ変化させると、上画面２に表示されているアイコンに対応するアイコンが機能を説明するテキストを伴って下画面３に表示されることとなる。なお、機能を説明するテキストは、その機能を実現するためのプログラムに予め埋め込まれている説明用のテキストを抽出して用いてもよいし、利用者に入力させてもよい。
【００３２】
アイコンは、一般に、対応する機能が分かりやすいようにデザインされた外観を有するが、情報機器の扱いに慣れていない年配者等には、アイコンの外観からアイコンに対応する機能を推定するのが困難な場合がある。機能を説明するテキストとともにアイコンを表示することにより、情報機器の扱いに慣れていない利用者でも、アイコンに対応する機能を容易に把握することが可能になる。
【００３３】
なお、アイコンと付加情報の組み合わせを上画面２に表示することも考えられる。しかしながら、上画面２は、常に外部に露出している画面であり、利用者の目に触れる機会が多い。このため、上画面２に表示される待受画面には、時計やカレンダ等の参照頻度の高い情報を常時表示させておきたいと考える利用者は多い。また、上画面２に表示される待受画面の背景として好みの画像データを表示させ、アイコン等でその画像データが隠されるのを好まない利用者も多い。したがって、多くの表示面積を必要とするアイコンと付加情報の組み合わせは、第１の形態において第１の筐体１Ａによって覆い隠される下画面３に表示することが好ましい。
【００３４】
携帯電話端末１は、第１の形態から第２の形態へ変化した場合だけでなく、第２の形態から第１の形態へ変化した場合にも、上画面２に表示されるアイコンと下画面３に表示されるアイコンとが対応するように制御を行う。例えば、図３のステップＳ１３の状態にあるときに、利用者が所定の操作を行って、ステップＳ２１のように、下画面３にアイコン２３ｂと付加情報２３ｃとを追加したものとする。
【００３５】
アイコン２３ｂは、音楽再生機能と対応づけられている。付加情報２３ｃは、アイコン２３ｂと対応づけて表示される情報であり、この場合、アイコン２３ｂに対応する機能を示すテキストを表示する。アイコン２３ｂまたは付加情報２３ｃに対してタップ操作が行われると、携帯電話端末１は、音楽再生機能を起動する。
【００３６】
こうして下画面３にアイコン２３ｂおよび付加情報２３ｃが追加された後に、ステップＳ２２として、利用者が携帯電話端末１を第２の形態から第１の形態へ変化させたとする。この場合、上画面２に表示されている待受画面には、アイコン２３ｂおよび付加情報２３ｃに対応するアイコンが配置されていないため、携帯電話端末１は、これらに対応するアイコン２３ａを上画面２に追加する。
【００３７】
このような制御を行うことにより、携帯電話端末１が第２の形態から第１の形態へ変化して下画面３が第１の筐体１Ａに覆い隠された状態となっても、利用者は、下画面３に表示されていたアイコンに対応する機能を上画面２から起動することができる。
【００３８】
次に、図５から図９を参照しながら、上下画面間のドラッグ操作に応じて携帯電話端末１が実行する処理について説明する。図５は、機能画面のフレーム部分のドラッグ操作に応じて上画面２にアイコンを追加する例を示す図である。図６は、上下画面間のドラッグ操作の一例を示す図である。図７は、機能画面のフレーム部分のドラッグ操作に応じて下画面３にアイコンおよび付加情報を追加する例を示す図である。図８は、テキストのドラッグ操作に応じて下画面３にアイコンおよび付加情報を追加する例を示す図である。図９は、テキストのドラッグ操作に応じて下画面３で機能を起動させる例を示す図である。
【００３９】
利用者は、上述したメニューを使う方式以外に、上下画面間で機能画面のフレーム部分のドラッグ操作を行うことでもアイコンを追加することができる。ここで、機能画面とは、アイコンのタップ等に応じて起動された機能が、情報を表示したり、情報の入力を求めたりするために上画面２または下画面３に表示させる画面である。また、フレーム部分とは、機能画面のうち、ボタンやチェックボックスのような利用者の操作に応じて特定の処理が実行される部分を除いた部分であり、例えば、タイトルバーの部分である。
【００４０】
例えば、図５のステップＳ３１のように、利用者が、下画面３で電子メール機能を起動し、メールを作成しているものとする。このとき、利用者がメール作成画面３１のフレーム部分に指を置いて上画面２までドラッグ操作を行うと、携帯電話端末１は、ステップＳ３２のように、アイコン２４ａを上画面２に追加する。
【００４１】
アイコン２４ａは、電子メール機能のうちメール作成機能に対応づけられている。アイコン２４ａに対してタップ操作が行われると、携帯電話端末１は、メールの閲覧機能等の電子メール機能に含まれる他の機能ではなく、メール作成機能を起動し、メール作成画面３１を表示させる。
【００４２】
このように、利用者は、ある機能画面を利用していて、その機能画面をその後も頻繁に利用したいと思った場合は、上下画面間で機能画面のフレーム部分のドラッグ操作を行うことによって、その機能画面を起動するためのアイコンを容易に作成することができる。
【００４３】
ここで、図６を参照しながら上下画面間でのドラッグ操作の例についてより詳細に説明する。図６のステップＳ４１のように、利用者が、メール作成画面３１のフレーム部分に指を置くと、携帯電話端末１は、指が置かれた部分にアイコン３２を表示する。アイコン３２は、例えば、メール作成機能に対応するアイコン２４ａと同様の外観を有するアイコンである。
【００４４】
続いて、利用者が指を下画面３に接触させたままで指を上画面２の方向へ移動させると、携帯電話端末１は、指の移動に追随するように、アイコン３２を移動させる。そして、ステップＳ４２のように、利用者が指の移動を継続して、アイコン３２の一部が下画面３からはみ出してアイコン片３２ｂのみが下画面３に表示される状態になったものとする。この場合、携帯電話端末１は、アイコン３２のはみ出した部分であるアイコン片３２ａを、上画面２上でアイコン片３２ｂと最も近い位置に表示する。
【００４５】
このようにアイコンが上画面２と下画面３に分割して表示されている場合、携帯電話端末１は、ステップＳ４３のように利用者が指を下画面３から離しても、一定時間（例えば、数秒間）は分割されたアイコンを表示し続ける。そして、ステップＳ４４のように、この間に利用者が指をアイコン片３２ａの上に置き、上画面２に接触させたままで図中上方向へ移動させると、アイコン片３２ｂに対するアイコン片３２ａの比率が大きくなっていき、やがて、アイコン３２全体が上画面２に表示される。
【００４６】
なお、図５では、下画面３から上画面２へのドラッグ操作の例を示したが、上画面２から下画面３へ機能画面のフレーム部分のドラッグ操作を行って下画面３にアイコンと付加情報の組み合わせを追加することもできる。例えば、図７のステップＳ５１のように、利用者が、上画面２で電子メール機能を起動し、メールを作成しているものとする。このとき、利用者がメール作成画面３１のフレーム部分に指を置いて下画面３までドラッグ操作を行うと、携帯電話端末１は、ステップＳ５２のように、アイコン２４ｂと付加情報２４ｃとを対応づけて下画面３に追加する。
【００４７】
アイコン２４ｂは、電子メール機能のうちメール作成機能に対応づけられている。付加情報２４ｃは、アイコン２４ｂと対応づけて表示される情報であり、この場合、アイコン２４ｂに対応する機能を示すテキストを表示する。アイコン２４ｂまたは付加情報２４ｃに対してタップ操作が行われると、携帯電話端末１は、メールの閲覧機能等の電子メール機能に含まれる他の機能ではなく、メール作成機能を起動する。
【００４８】
また、利用者は、機能画面のフレーム部分のドラッグ操作だけではなく、上下画面間でのテキストのドラッグ操作を行うことでもアイコンを追加することができる。例えば、図８のステップＳ６１のように、利用者が、上画面２に表示された文字入力画面３３に対してテキストを入力しているものとする。ここで、文字入力画面３３は、利用者が何か情報を入力したくなった場合に、上画面２に表示されている待受画面から起動することができる画面である。
【００４９】
そして、利用者が文字入力画面３３で入力中のテキスト３４を選択状態にしてその上に指を置き、下画面３の背景部分へドラッグ操作を行うと、携帯電話端末１は、テキスト３４をメモ機能によって管理されるデータとして保存する。そして、携帯電話端末１は、ステップＳ６２のように、アイコン２５ｂと付加情報２５ｃとを対応づけて下画面３に追加する。なお、メモ機能とは、任意のテキストを編集し、保存するための機能である。また、背景部分とは、アイコンや付加情報が表示されていない部分である。
【００５０】
アイコン２５ｂは、メモ機能に対応づけられている。付加情報２５ｃは、アイコン２５ｂと対応づけて表示される情報であり、この場合、メモ機能によって管理されているテキスト３４を表示する。アイコン２５ｂまたは付加情報２５ｃに対してタップ操作が行われると、携帯電話端末１は、メモ機能を起動し、テキスト３４を編集可能な状態で表示させる。
【００５１】
なお、図８に示した例では文字入力画面３３で入力中のテキストを下画面３へドラッグする例を示したが、文字入力画面３３以外の画面中のテキストを下画面３へドラッグすることもできる。例えば、電子メールの参照画面に表示されている本文の一部のテキストを選択状態として下画面３の背景部分へドラッグ操作を行うと、携帯電話端末１は、そのテキストをメモ機能によって管理されるデータとして保存し、メモ機能に対応づけたアイコンとともに付加情報として表示する。
【００５２】
このように、利用者は、上画面２または下画面３の一方で表示または編集中のテキストを他方の画面へドラッグすることで、そのテキストを画面上に常時表示させておくことができる。この操作は、テキストを表示または編集中の機能画面を非表示にすることなく行うことができるので、利用者にとって利便性が高い。
【００５３】
また、テキストのドラッグ先は、アイコンまたは付加情報であってもよい。例えば、図９のステップＳ７１では、利用者が、上画面２に表示された文字入力画面３３に対してテキストを入力している。ここで、利用者が文字入力画面３３で入力中のテキスト３４を選択状態にしてその上に指を置き、下画面３のアイコン２４ｂまたは付加情報２４ｃの上へドラッグ操作を行ったものとする。
【００５４】
アイコンまたは付加情報に対してドラッグ操作が行われた場合、携帯電話端末１は、ドラッグされたテキストが入力された状態で、アイコン等に対応する機能を起動する。図９のステップＳ７２では、アイコン２４ｂは、メール作成機能に対応づけられているため、携帯電話端末１は、テキスト３４が入力された状態で、メール作成機能によるメール作成画面３１を表示させる。
【００５５】
このように、利用者は、上画面２または下画面３の一方で表示または編集中のテキストを他方の画面に表示されているアイコン等へドラッグすることで、そのテキストが入力された状態で、アイコン等に対応する機能を起動させることができる。この操作は、テキストを表示または編集中の機能画面を非表示にすることなく、また、テキストを再入力することなく行うことができるので、利用者にとって利便性が高い。
【００５６】
次に、図１０を参照しながら、携帯電話端末１の機能的な構成について説明する。図１０は、携帯電話端末１の機能的な構成を示すブロック図である。図１０に示すように携帯電話端末１は、タッチパネル２と、タッチパネル３と、姿勢検出部４と、電源部５と、通信部６と、スピーカ７と、マイク８と、記憶部９と、主制御部１０と、ＲＡＭ（Random  Access  Memory）１１とを有する。なお、タッチパネル２が第１の筐体１Ａに設けられ、タッチパネル３が第２の筐体１Ｂに設けられることを除いて、各部位は、第１の筐体１Ａと第２の筐体１Ｂのいずれに設けられてもよい。
【００５７】
タッチパネル２は、表示部２Ｂと、表示部２Ｂに重畳されたタッチセンサ２Ａとを有する。タッチパネル３は、表示部３Ｂと、表示部３Ｂに重畳されたタッチセンサ３Ａとを有する。タッチセンサ２Ａおよびタッチセンサ３Ａは、指を用いて表面に対して行われた各種操作を、操作が行われた位置とともに検出する。タッチセンサ２Ａおよびタッチセンサ３Ａによって検出される操作には、シングルタップ操作、ダブルタップ操作、ロングタップ操作等が含まれる。表示部２Ｂおよび表示部３Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００５８】
姿勢検出部４は、携帯電話端末１が第１の形態にあるのか、第２の形態にあるのかを検出する。姿勢検出部４は、例えば、第１の筐体１Ａと第２の筐体１Ｂとが対向する面に設けられた機械的なスイッチによって携帯電話端末１の姿勢を検出する。
【００５９】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式等による無線信号回線を確立し、基地局との間で電話通信および情報通信を行う。スピーカ７は、電話通信における相手側の音声や着信音等を出力する。マイク８は、利用者等の音声を電気的な信号へ変換する。
【００６０】
記憶部９は、例えば、不揮発性メモリや磁気記憶装置であり、主制御部１０での処理に利用されるプログラムやデータを保存する。具体的には、記憶部９は、電子メール機能を実現するためのメールプログラム９Ａや、ＷＥＢブラウジング機能を実現するためのブラウザプログラム９Ｂや、上述したような機能の制御を実現するための制御プログラム９Ｃや、音楽再生機能を実現するための音楽再生プログラム９Ｄや、メモ機能を実現するためのメモプログラム９Ｅや、画面上に表示されるアイコンおよび付加情報に関する情報が格納されたアイコンデータ９Ｆを記憶する。記憶部９には、その他に、携帯電話端末１の基本的な機能を実現するオペレーティングシステムプログラムや、氏名、電話番号、メールアドレス等が登録されたアドレス帳データ等の他のプログラムやデータも記憶される。
【００６１】
ここで、アイコンデータ９Ｆについて、図１１を参照しながら説明する。図１１は、アイコンデータ９Ｆの一例を示す図である。図１１に示すように、アイコンデータ９Ｆは、ＩＤ、対応機能、絵文字、付加情報、表示位置といった項目を有する。ＩＤの項目には、アイコンの識別番号が格納される。対応機能の項目には、アイコンに対応する機能を特定するための情報が格納される。絵文字の項目には、アイコンとして表示される絵文字（画像）を特定するための情報が格納される。
【００６２】
付加情報の項目には、アイコンと対応づけて付加情報を表示する場合に用いられるテキストが格納される。表示位置の項目には、アイコンが上画面２で表示される位置を特定する情報と、アイコンが下画面３で表示される位置を特定する情報とが格納される。アイコンが、上画面２および下画面３の一方にしか表示されていない場合、アイコンが表示されていない画面に対応する項目は空欄となる。
【００６３】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００６４】
例えば、主制御部１０は、メールプログラム９Ａを実行することによって、電子メール機能を実現する。また、主制御部１０は、制御プログラム９Ｃを実行することによって、利用者の操作や携帯電話端末１の形態の変化に応じてアイコンの追加等を行うための制御を実行する。
【００６５】
次に、図１２および図１３を参照しながら、制御プログラム９Ｃに基づいて主制御部１０が実行する処理手順について説明する。なお、図１２に示す処理手順は、上画面２および下画面３に待受画面が表示されている間、繰り返して実行される。また、図１３に示す処理手順は、上画面２および下画面３の一方に待受画面が表示され、他方に機能画面が表示されている間、繰り返して実行される。
【００６６】
図１２は、携帯電話端末１の形態が変化した場合の処理手順を示すフロー図である。図１２に示すように、主制御部１０は、ステップＳ１０１として、姿勢検出部４の検出結果を取得する。
【００６７】
そして、姿勢検出部４で第１の状態から第２の状態への変化、すなわち、閉状態から開状態への変化が検出されていた場合（ステップＳ１０２，Ｙｅｓ）、主制御部１０は、ステップＳ１０３として、アイコンデータ９Ｆを参照して、上画面２には表示されているが下画面３には表示されていないアイコンを探索する。ここで、該当するアイコンがない場合（ステップＳ１０４，Ｎｏ）、主制御部１０は、特に処理を行わない。
【００６８】
一方、該当するアイコンがあった場合（ステップＳ１０４，Ｙｅｓ）、主制御部１０は、ステップＳ１０５として、下画面３にそのアイコンを付加情報付きで追加する。このとき、主制御部１０は、下画面３にアイコンを配置した位置を特定する情報を、アイコンデータ９Ｆの対応する行の表示位置の項目に格納する。
【００６９】
また、姿勢検出部４で第２の状態から第１の状態への変化、すなわち、開状態から閉状態への変化が検出されていた場合（ステップＳ１０２，Ｎｏ、かつ、ステップＳ１０６，Ｙｅｓ）、主制御部１０は、ステップＳ１０７として、アイコンデータ９Ｆを参照して、下画面３には表示されているが上画面２には表示されていないアイコンを探索する。ここで、該当するアイコンがない場合（ステップＳ１０８，Ｎｏ）、主制御部１０は、特に処理を行わない。
【００７０】
一方、該当するアイコンがあった場合（ステップＳ１０８，Ｙｅｓ）、主制御部１０は、ステップＳ１０９として、上画面２にそのアイコンを付加情報なしで追加する。このとき、主制御部１０は、上画面２にアイコンを配置した位置を特定する情報を、アイコンデータ９Ｆの対応する行の表示位置の項目に格納する。
【００７１】
図１３は、上下画面間のドラッグ操作が検出された場合の処理手順を示すフロー図である。図１３に示すように、主制御部１０は、ステップＳ２０１として、タッチパネル（上画面）２およびタッチパネル（下画面）３の検出結果を取得する。ここで、上下画面間のドラッグ操作が検出されていない場合（ステップＳ２０２，Ｎｏ）、主制御部１０は、上下画面間のドラッグ操作に関する処理を特に行わない。
【００７２】
上下画面間のテキストのドラッグ操作が検出されていた場合（ステップＳ２０２，Ｙｅｓ、かつ、ステップＳ２０３，Ｙｅｓ）、主制御部１０は、ステップＳ２０４として、ドラッグ先がアイコンまたは付加情報であるかを判定する。そして、ドラッグ先がアイコンまたは付加情報である場合（ステップＳ２０４，Ｙｅｓ）、主制御部１０は、ステップＳ２０５として、ドラッグされたテキストが表示された状態で、ドラッグ先のアイコン等に対応する機能をアイコン等と同一画面で起動する。
【００７３】
ドラッグ先が背景部分の場合（ステップＳ２０４，Ｎｏ）、主制御部１０は、ステップＳ２０６として、ドラッグ先が下画面３であるかを判定する。ここで、ドラッグ先が下画面３である場合（ステップＳ２０６，Ｙｅｓ）、主制御部１０は、ステップＳ２０７として、ドラッグされたテキストを付加情報の項目に含み、対応する機能としてメモ機能が特定された情報をアイコンデータ９Ｆに追加する。そして、主制御部１０は、追加した情報に合わせて、メモ機能に対応づけられ、ドラッグされたテキストが付加情報として付加されたアイコンを下画面３に追加する。
【００７４】
一方、ドラッグ先が上画面２である場合（ステップＳ２０６，Ｎｏ）、主制御部１０は、ステップＳ２０８として、ドラッグされたテキストを付加情報の項目に含み、対応する機能としてメモ機能が特定された情報をアイコンデータ９Ｆに追加する。そして、主制御部１０は、追加した情報に合わせて、メモ機能に対応づけられたアイコンを付加情報なしで上画面２に追加する。
【００７５】
また、上下画面間での機能画面のフレーム部分のドラッグ操作が検出されていた場合（ステップＳ２０３，Ｎｏ、かつ、ステップＳ２０９，Ｙｅｓ）、主制御部１０は、ステップＳ２１０として、ドラッグ先が下画面３であるかを判定する。ここで、ドラッグ先が下画面３である場合（ステップＳ２１０，Ｙｅｓ）、主制御部１０は、ステップＳ２１１として、ドラッグ元の機能画面の機能を示すテキストを付加情報の項目に含み、対応する機能としてドラッグ元の機能画面を表示する機能が特定された情報をアイコンデータ９Ｆに追加する。そして、主制御部１０は、追加した情報に合わせて、ドラッグ元の機能画面を表示する機能に対応づけられ、ドラッグ元の機能画面の機能を示すテキストが付加情報として付加されたアイコンを下画面３に追加する。
【００７６】
一方、ドラッグ先が上画面２である場合（ステップＳ２１０，Ｎｏ）、主制御部１０は、ステップＳ２１２として、ドラッグ元の機能画面の機能を示すテキストを付加情報の項目に含み、対応する機能としてドラッグ元の機能画面を表示する機能が特定された情報をアイコンデータ９Ｆに追加する。そして、主制御部１０は、追加した情報に合わせて、ドラッグ元の機能画面を表示する機能に対応づけられたアイコンを付加情報なしで上画面２に追加する。
【００７７】
上下画面間でのドラッグ操作の対象がテキストでも機能画面のフレーム部分でもない場合（ステップＳ２０９，Ｎｏ）、主制御部１０は、上下画面間のドラッグ操作に関する処理を特に行わない。
【００７８】
上述してきたように、本実施形態では、携帯電話端末１の形状の変化や画面間のドラッグ操作に応じてアイコンの追加等の処理を行うこととしたので、利用者の利便性を向上させることができる。
【００７９】
なお、上記の各実施形態で示した本発明の態様は、本発明の要旨を逸脱しない範囲で任意に変更することができる。例えば、制御プログラム９Ｃは、複数のモジュールに分割されていてもよいし、他のプログラムと統合されていてもよい。
【００８０】
また、上記の実施形態では、第１の筐体１Ａが第２の筐体１Ｂに対して相対的にスライドすることによって携帯電話端末１が第１の形態から第２の形態へ変化することとしたが、第１の形態から第２の形態への変化はこのようなスライド動作以外によって実現されてもよい。例えば、携帯電話端末１は、第１の筐体１Ａと第２の筐体１Ｂとを２軸回転式ヒンジで結合した折り畳み式の端末であってもよく、この場合、ヒンジの２つの軸を回転軸として第１の筐体１Ａと第２の筐体１Ｂを相対的に回転させることによって形態の変化が実現される。
【００８１】
また、上記の実施形態では、上画面２上のアイコンと、当該アイコンと対応する下画面３上のアイコンが同様の外観を有することとしたが、これらの対応するアイコンは同様の外観を有していなくても、色、形状、位置等によって対応が明確であればよい。
【００８２】
また、上記の実施形態では、機能画面のフレーム部分をドラッグ操作することによってアイコン等の追加が行われることとしたが、機能画面のフレーム部分に対してフリック操作を行うことによってアイコン等の追加が行われることとしてもよい。フリック操作とは、指をタッチパネルに接触させた後、何かをはじくように急速に指を一方向へ移動させる操作である。例えば、下画面３にメール送信画面が表示されている状態で、メール送信画面のタイトルバーの部分で上画面２の方向へフリック操作が行われた場合、フリック操作が行われた方向に存在する上画面２に、メール送信画面を表示させるアイコンを追加することとしてもよい。
【００８３】
また、上記の実施形態では、機能画面のフレーム部分をドラッグ操作の対象としたが、フレーム部分以外をドラッグ操作の対象としてもよい。例えば、ボタンについては、通常のタップ操作が行われた場合にはボタンに対応づけられた処理を実行し、ロングタップ操作が行われた場合にはドラッグ操作を待機する状態となるようにしてもよい。
【００８４】
また、上記の実施形態では、上下画面間でのテキストのドラッグ操作のドラッグ先が背景部分であった場合にメモ機能と対応づけられたアイコンを追加することとしたが、他の機能と対応づけられたアイコンを追加することとしてもよい。
【００８５】
例えば、ドラッグされたテキストの形式が電話番号の形式であれば電話の発信機能と対応づけられたアイコンを追加するというように、テキストの形式に応じて、どの機能と対応づけられたアイコンを追加するかを決定してもよい。この方式では、ドラッグされたテキストの形式がメールアドレスの形式であればメール送信機能と対応づけられたアイコンを追加され、ドラッグされたテキストの形式がＵＲＬの形式であればＷＥＢブラウジング機能と対応づけられたアイコンを追加される。
【００８６】
そして、電話の発信機能と対応づけられたアイコンがタップされると、ドラッグされたテキストを発信先番号として発信が行われる。また、メール送信機能と対応づけられたアイコンがタップされると、ドラッグされたテキストを送信先アドレスとするメール送信画面が表示される。また、ＷＥＢブラウジング機能と対応づけられたアイコンがタップされると、ドラッグされたテキストをアクセス先のアドレスとするＷＥＢブラウザが表示される。
【００８７】
また、どの機能と対応づけられたアイコンを追加するかを利用者に選択させてもよい。例えば、ドラッグ操作が完了して指がタッチパネルから離れたタイミングで、起動可能な機能の一覧を表示し、どの機能と対応づけられたアイコンを追加するかを一覧から選択させてもよい。
【産業上の利用可能性】
【００８８】
以上のように、本発明に係る携帯電子機器、制御方法および制御プログラムは、操作について利用者の利便性を向上させることが必要な場合に適している。
【符号の説明】
【００８９】
１  携帯電話端末
１Ａ  第１の筐体
１Ｂ  第２の筐体
２  タッチパネル（上画面）
２Ａ、３Ａ  タッチセンサ
２Ｂ、３Ｂ  表示部
３  タッチパネル（下画面）
４  姿勢検出部
５  電源部
６  通信部
７  スピーカ
８  マイク
９  記憶部
９Ａ  メールプログラム
９Ｂ  ブラウザプログラム
９Ｃ  制御プログラム
９Ｄ  音楽再生プログラム
９Ｅ  メモプログラム
９Ｆ  アイコンデータ
１０  主制御部
１１  ＲＡＭ
【図１】
0005588844.tif 000002
【図２】
0005588844.tif 000003
【図３】
0005588844.tif 000004
【図４】
0005588844.tif 000005
【図５】
0005588844.tif 000006
【図６】
0005588844.tif 000007
【図７】
0005588844.tif 000008
【図８】
0005588844.tif 000009
【図９】
0005588844.tif 000010
【図１０】
0005588844.tif 000011
【図１１】
0005588844.tif 000012
【図１２】
0005588844.tif 000013
【図１３】
0005588844.tif 000014